(57)【特許請求の範囲】
【請求項１】
上前身頃及び下前身頃及び後身頃と、
前記上前身頃及び前記下前身頃及び前記後身頃に縫製されてなる衿と、
前袖及び後袖からなり前記上前身頃及び前記後身頃の袖付部分を縫製されてなる左袖と、
前記左袖の前記前袖及び前記後袖とは異なる前袖及び後袖からなり前記下前身頃及び前記後身頃の袖付部分を縫製されてなる右袖と、
前記左袖の前記前袖及び前記後袖の袖下を接続具で接続されてなる左袖接続部と、
前記右袖の前記前袖及び前記後袖の袖下を接続具で接続されてなる右袖接続部と、
前記上前身頃と前記後身頃の前記袖付部分までの脇縫部分を接続具で接続されてなる上前身頃接続部と、
前記下前身頃と前記後身頃の前記袖付部分までの脇縫部分を接続具で接続されてなる下前身頃接続部と、
前記後身頃には、前記上前身頃及び前記下前身頃の反対側に、前記左袖及び前記右袖、及び／または前記後身頃及び前記上前身頃及び前記下前身頃を畳んで収納可能に設けた収納部と
を具備することを特徴とする介護用着衣。
【請求項２】
上前身頃及び下前身頃及び後身頃と、
前記上前身頃及び前記下前身頃及び前記後身頃に縫製されてなる衿と、
前袖及び後袖からなり前記上前身頃及び前記後身頃の袖付部分を縫製されてなる左袖と、
前記左袖の前記前袖及び前記後袖とは異なる前袖及び後袖からなり前記下前身頃及び前記後身頃の袖付部分を縫製されてなる右袖と、
前記左袖の前記前袖及び前記後袖の袖下を接続具で接続されてなる左袖接続部と、
前記右袖の前記前袖及び前記後袖の袖下を縫製されてなる右袖縫製部と、
前記上前身頃と前記後身頃の前記袖付部分までの脇縫部分を接続具で接続されてなる上前身頃接続部と、
前記下前身頃と前記後身頃の前記袖付部分までの脇縫部分を縫製されてなる下前身頃縫製部と、
前記後身頃には、前記上前身頃及び前記下前身頃の反対側に、前記左袖及び前記右袖、及び／または前記後身頃及び前記上前身頃及び前記下前身頃を畳んで収納可能に設けた収納部と
を具備することを特徴とする介護用着衣。
【請求項３】
上前身頃及び下前身頃及び後身頃と、
前記上前身頃及び前記下前身頃及び前記後身頃に縫製されてなる衿と、
前袖及び後袖からなり前記上前身頃及び前記後身頃の袖付部分を縫製されてなる左袖と、
前記左袖の前記前袖及び前記後袖とは異なる前袖及び後袖からなり前記下前身頃及び前記後身頃の袖付部分を縫製されてなる右袖と、
前記左袖の前記前袖及び前記後袖の袖下を縫製されてなる左袖縫製部と、
前記右袖の前記前袖及び前記後袖の袖下を接続具で接続されてなる右袖接続部と、
前記上前身頃と前記後身頃の前記袖付部分までの脇縫部分を縫製されてなる上前身頃縫製部と、
前記下前身頃と前記後身頃の前記袖付部分までの脇縫部分を接続具で接続されてなる下前身頃接続部と、
前記後身頃には、前記上前身頃及び前記下前身頃の反対側に、前記左袖及び前記右袖、及び／または前記後身頃及び前記上前身頃及び前記下前身頃を畳んで収納可能に設けた収納部と
を具備することを特徴とする介護用着衣。
【発明の詳細な説明】
【技術分野】
【０００１】
本発明は、寝たきりの患者、老人、身体障害者等の被介護者の着衣に関するもので、特に、腕の自由がきかない患者の介護負担を軽減化させることのできる介護用着衣に関するものである。
【背景技術】
【０００２】
特許文献１に記載の医療用着衣は、手術後のカテーテルが挿管された状態の患者に対し、挿管位置に拘わらず、医療用着衣を容易に、素早く、着用でき、従来のように、集中治療室内で患者の体に上から着衣を被せただけでないので、そのような状態に対する抵抗感や肌寒さを解消でき、患者が快適な状態で介護または治療を受けられる。具体的には、前開きの前身頃と後身頃と肩部から続く左右の袖部を備えており、前身頃の襟部から左右の袖口に達する分離可能な衿袖合わせ部が設けられ、当該衿袖合わせ部に分離・接合用の一対のスライダーを備えたダブルファスナー部が取り付けられているという技術が記載されている。
【０００３】
また、特許文献２が着衣する介護服は、上下繋がれた繋ぎの介護服であって、該介護服に、左右股部を開く股部ファスナーと左右脇部を開く脇部ファスナーとを設け、該脇部ファスナーは、袖部の中間位置までを開き止まりとして袖口端には至らない設定になっている。このようにして、ファスナー端が袖口端にない構成にでき、着衣する介護者が手を動かしてもファスナー端で皮膚がこすれることを回避でき、脱いだり着たりする場合に、袖部中間位置の開き止まり位置まで開いた状態で、肘を曲げることで簡単に脱いだり着たりでき、しかも面倒なファスナーの合わせ作業も不用になって介護作業の改善が計れる。このように特許文献２では、被介護者が脱いだり着たりし易いものであり、動くことが多い腕が通る袖口端にファスナーがあると皮膚がファスナー端に当たって擦れてしまうという事態が回避できる技術を記載している。
【０００４】
そして、特許文献３が着衣する輸液用衣服は、着衣の輸液箇所とその付近がファスナーで簡単に開閉操作する構成とすることにより輸液中でも着替えが可能となり、汗で濡れ、汚れた不潔な衣服を我慢して着ている必要が無くなり、また、必要に応じて何度でも着替えが可能なため、常に清潔な衣服を着用できる。このため、心身ともに気持ちがよく、従来のように肌の一部が露出することもないので、寒さを我慢する必要も無いという特徴の技術を開示している。
更に、特許文献４の患者用衣服は、一般の浴衣と同様に着衣、脱衣を行うことができるが、必要に応じて結合具による結合を解除することにより前身頃と後身頃、前袖と後袖をそれぞれ分離すれば、着脱を一層容易に行えるものである。また、注射、点滴等の治療、その他必要な介護に関しては、患者身体の所望部位付近の結合具のみ結合を解除することができ、所望部位を露出させることができ、治療、介護が容易になる。しかも、ファスナーを使用した場合と異なり、所望部位のみを露出させることができるので、患者等に不要な不安感を与えることなく、患者の身体を冷やすこともないという技術を記載している。
【先行技術文献】
【特許文献】
【０００５】
【特許文献１】特開２０１５−５２１８５
【特許文献２】特開２００１−２６２４１０
【特許文献３】特開平１０−２５９５１５
【特許文献４】特開平０７−２７８９２１
【発明の概要】
【発明が解決しようとする課題】
【０００６】
このように、特許文献１の医療用着衣は前身頃の衿部から左右の袖口に達する分離・接合用の一対のダブルファスナー部によって、手術後のカテーテルの挿管状態を維持するものである。しかし、この医療用着衣は、カテーテルを通過させるために挿通部を形成しているものであり、寝たきりの患者、老人、身体障害者等の被介護者の着衣の機能を有していない。
また、特許文献２の介護服は、介護服に左右股部を開く股部ファスナーと、左右脇部を開く脇部ファスナーとを設け、前記股部ファスナーは両側からの移動により、また、前記脇部ファスナーは袖部の中間位置を行き止まりとし、排尿パイプや医療用チューブの引き出しが容易な構造になっている。ここにおいては、股部ファスナーと脇部ファスナーの操作によって被介護者が脱いだり着たりし易いものである。しかし、股部ファスナーと脇部ファスナーによって衣類を形成しているから、患者の身体の一部を移動するときでも、寝返りを打つ場合でも、股部ファスナー、脇部ファスナーが体に接触し、患者は異物感を感じてしまい緊張感から解放されない。
【０００７】
そして、特許文献３の輸液用衣服は、着衣の輸液箇所とその付近がファスナーで簡単に開閉操作する構成とすることにより、輸液中でも着替えを可能としている。しかし、特許文献３の技術も、ファスナーで開口を締めるものであり、特許文献２と同様、患者が身体の一部を移動するときでも、寝返りを打つときでも、ファスナーが体に接触し、患者は異物感を感じてしまい、実生活とは異なる緊張感から解放されない。
特に、特許文献１乃至特許文献３のようにファスナーを使用するとファスナーが曲げに応答できないから、使用していても違和感があったり、また、ファスナーが結合中に生地を咬んだり、糸くずを咬んだりして使用できなくなる可能性がある。
更に、特許文献４の患者用衣服は前開きの浴衣の身頃が前身頃と後身頃に、袖が前袖と後袖にそれぞれ分離されるとともに、前身頃と後身頃及び前袖と後袖をそれぞれ結合する結合具が所定の間隔を置いて複数個設けられているものであり、現実的に前身頃と後身頃、前袖と後袖を分離自在とすると上前身頃と後身頃の結合、下前身頃と後身頃の結合、右側の前袖と後袖の上下の結合、左側の前袖と後袖の上下の結合、また、記載がないが左右の前袖と後袖の前身頃と後身頃との結合に分れ、一体化する場合に、正規の対応する結合具を間違え、結合具の掛け直しを行う必要が生じ、患者に着せ掛けるのに大変な労力が必要となる。
【０００８】
そこで、本発明は上記問題点を解消すべく、ファスナーを用いることなく使用され、寝たきりの患者、老人、左右の腕の動作不自由な身体障害者等の被介護者の着衣として使用できる介護用着衣の提供を課題とするものである。
【課題を解決するための手段】
【０００９】
請求項１の発明にかかる介護用着衣は、上前身頃及び下前身頃及び後身頃と、前記上前身頃及び前記下前身頃及び前記後身頃に縫製された衿と、前袖及び後袖からなり前記上前身頃及び前記後身頃の袖付部分を縫製されてなる左袖と、前記左袖とは異なる前袖及び後袖からなり前記下前身頃及び前記後身頃の袖付部分を縫製されてなる右袖と、前記左袖の前記前袖及び前記後袖の袖下を接続具で接続する左袖接続部と、前記右袖の前記前袖及び前記後袖の袖下を接続具で接続する右袖接続部と、前記上前身頃と前記後身頃の前記袖付部分までの脇縫部分を接続具で接続する上前身頃接続部と、前記下前身頃と前記後身頃の前記袖付部分までの脇縫部分を接続具で接続する下前身頃接続部とを具備する。
【００１０】
ここで、上記上前身頃及び下前身頃及び後身頃は、和装の裁断、仕立てを意味するものであるが、和装以外の生地を用いても仕立て可能である。
また、前記上前身頃及び前記下前身頃及び前記後身頃に縫製された衿は、幅の広い衿芯を入れたものに限定されるものではなく、芯地がなくとも単にパイピング処理したものでもよく、結果的に上前身頃及び下前身頃及び後身頃をまとめる機能と認識できればよい。
そして、前記前袖及び前記後袖からなる左袖と右袖は、前記後身頃と前記上前身頃、前記後身頃と前記下前身頃に袖付部分で縫製し、前記左袖と前記右袖の前記前袖及び前記後袖の袖下を縫製することなく接続具で接続し、前記上前身頃と前記後身頃または前記下前身頃と前記後身頃は縫製することなく接続具で接続したものである。
【００１１】
したがって、前記左袖及び前記右袖は、前記上前身頃と前記後身頃、前記下前身頃と前記後身頃と共に連続的に一体となり、また、そこには上前身頃及び下前身頃及び後身頃と縫製された衿がそれを強調するように一体化している。
更に、左袖と右袖は、前記上前身頃及び前記後身頃の袖付部分及び前記下前身頃及び前記後身頃の袖付部分は縫製を行うものである。即ち、左袖と右袖は、１枚ものの生地または２枚に分かれた生地からなり、少なくとも肩の上に位置する肩山の生地は前身頃から後身頃まで連続しており、前記上前身頃及び下前身頃及び後身頃は必要枚数を合わせた単位枚となっており、各左袖と右袖は前身頃から後身頃まで連続している。
更にまた、左袖接続部及び右袖接続部の接続具、上前身頃接続部及び下前身頃接続部の接続具は、スナップボタンまたは磁石ボタン等のボタン、紐、接着布の何れか１以上による接続具とすることができる。
加えて、左袖接続部と右袖接続部は袖下が縫製されているものではなく、接続具で接続する部分を示し、また、上前身頃接続部と下前身頃接続部も、上前身頃Ｕと後身頃Ｂまたは下前身頃Ｄと後身頃Ｂが縫製されているものではなく、接続具で接続する部分を示すものである。
この発明にかかる介護用着衣の前記後身頃には、前記左袖及び前記右袖、及び／または前記後身頃を含む前記上前身頃及び前記下前身頃を収納する収納部を形成したものである。
ここで、上記収納部は、左右から挿入する前記左袖、前記右袖の収納用とすることもできるし、下側から挿入する前記上前身頃及び前記下前身頃の収納用とすることもできる。
【００１２】
請求項２の発明にかかる介護用着衣は、上前身頃及び下前身頃及び後身頃と、前記上前身頃及び前記下前身頃及び前記後身頃に縫製された衿と、前袖及び後袖からなり前記上前身頃及び前記後身頃の袖付部分を縫製されてなる左袖と、前記左袖の前記前袖及び前記後袖とは異なる前袖及び後袖からなり前記下前身頃及び前記後身頃の袖付部分を縫製されてなる右袖と、前記左袖の前記前袖及び前記後袖の袖下を接続具で接続する左袖接続部と、前記右袖の前記前袖及び前記後袖の袖下を縫製してなる右袖縫製部と、前記上前身頃と前記後身頃の前記袖付部分までの脇縫部分を接続具で接続する上前身頃接続部と、前記下前身頃と前記後身頃の前記袖付部分までの脇縫部分を縫製してなる下前身頃縫製部とを具備するものである。
【００１３】
ここで、上記上前身頃及び下前身頃及び後身頃は、和装の裁断、仕立てを意味するものであるが、和装以外の生地を用いても仕立て可能である。
また、前記上前身頃及び前記下前身頃及び前記後身頃に縫製された衿は、幅の広い衿芯を入れたものに限定されるものではなく、芯地がなくとも単にパイピング処理したものでもよく、結果的に上前身頃及び下前身頃及び後身頃をまとめる機能と認識できればよい。
そして、前記前袖及び前記後袖からなる左袖と右袖は、前記後身頃と前記上前身頃、前記後身頃と前記下前身頃に袖付部分で縫製し、前記左袖の前記前袖及び前記後袖の袖下を縫製することなく接続具で接続し、前記上前身頃と前記後身頃も縫製することなく接続具で接続したものである。したがって、前記左袖は、前記上前身頃及び前記後身頃と共に連続的に一体となり、また、そこには上前身頃及び下前身頃及び後身頃に縫製された衿がそれを強調するように一体化している。
【００１４】
更に、前記上前身頃及び前記後身頃の袖付部分及び前記下前身頃及び前記後身頃の袖付部分は左袖と右袖と共に縫製を行うものである。即ち、左袖と右袖は、必要枚数を合わせた単位枚の生地からなり、少なくとも肩の上に位置する肩山の生地は前身頃から後身頃まで連続しており、前記上前身頃及び下前身頃及び後身頃は必要枚数を合わせた単位枚となっており、各左袖と右袖は前身頃から後身頃まで連続している。
更にまた、左袖接続部の接続具、上前身頃接続部の接続具は、スナップボタンまたは磁石ボタン等のボタン、紐、接着布の何れか１以上による接続具とすることができる。
加えて、左袖接続部は右袖縫製部のように袖下が縫製されているものではなく、接続具で接続する部分を示し、また、上前身頃接続部も、下前身頃縫製部のように上前身頃Ｕと後身頃Ｂが縫製されているものではなく、接続具で接続する部分を示すものである。
この発明にかかる介護用着衣の前記後身頃には、前記左袖及び前記右袖、及び／または前記後身頃を含む前記上前身頃及び前記下前身頃を収納する収納部を形成したものである。
ここで、上記収納部は、左右から挿入する前記左袖、前記右袖の収納用とすることもできるし、下側から挿入する前記上前身頃及び前記下前身頃の収納用とすることもできる。
【００１５】
請求項３の発明にかかる介護用着衣は、上前身頃及び下前身頃及び後身頃と、前記上前身頃及び前記下前身頃及び前記後身頃に縫製された衿と、前袖及び後袖からなり前記下前身頃及び前記後身頃の袖付部分を縫製されてなる左袖と、前記左袖の前記前袖及び前記後袖とは異なる前袖及び後袖からなり前記上前身頃及び前記後身頃の袖付部分を縫製されてなる右袖と、前記左袖の前記前袖及び前記後袖の袖下を縫製してなる左袖縫製部と、前記右袖の前記前袖及び前記後袖の袖下を接続具で接続する右袖接続部と、前記上前身頃と前記後身頃の前記袖付部分までの脇縫部分を縫製してなる上前身頃縫製部と、前記下前身頃と前記後身頃の前記袖付部分までの脇縫部分を接続具で接続する下前身頃接続部とを具備するものである。
【００１６】
ここで、上記上前身頃及び下前身頃及び後身頃は、和装の裁断、仕立てを意味するものであるが、和装以外の生地を用いても仕立て可能である。
また、前記上前身頃及び前記下前身頃及び前記後身頃に縫製された衿は、幅の広い衿芯を入れたものに限定されるものではなく、芯地がなくとも単にパイピング処理したものでもよく、結果的に上前身頃及び下前身頃及び後身頃をまとめる機能と認識できればよい。
そして、前記前袖及び前記後袖からなる左袖と右袖は、前記後身頃と前記上前身頃、前記後身頃と前記下前身頃に袖付部分で縫製し、前記右袖の前記前袖及び前記後袖の袖下を縫製することなく接続具で接続し、前記下前身頃と前記後身頃も縫製することなく接続具で接続したものである。したがって、前記右袖は、前記下前身頃及び前記後身頃と共に連続的に一体となり、また、そこには上前身頃及び下前身頃及び後身頃に縫製された衿がそれを強調するように一体化している。
更に、前記上前身頃及び前記後身頃の袖付け及び前記下前身頃及び前記後身頃の袖付けは左袖と右袖と共に縫製を行うものである。即ち、左袖と右袖は、必要枚数を合わせた単位枚の生地からなり、少なくとも肩の上に位置する肩山の生地は前記前身頃と前記後身頃が連続しており、前記上前身頃及び下前身頃及び後身頃は必要枚数を合わせた単位枚となっており、各左袖と右袖は前身頃から後身頃まで連続している。
更にまた、右袖接続部の接続具、下前身頃接続部の接続具は、スナップボタンまたは磁石ボタン等のボタン、紐、接着布の何れか１以上による接続具とすることができる。
加えて、右袖接続部は左袖縫製部のように袖下が縫製されているものではなく、接続具で接続する部分を示し、また、下前身頃接続部も、上前身頃縫製部のように上前身頃Ｕと後身頃Ｂが縫製されているものではなく、接続具で接続する部分を示すものである。
この発明にかかる介護用着衣の前記後身頃には、前記左袖及び前記右袖、及び／または前記後身頃を含む前記上前身頃及び前記下前身頃を収納する収納部を形成したものである。
ここで、上記収納部は、左右から挿入する前記左袖、前記右袖の収納用とすることもできるし、下側から挿入する前記上前身頃及び前記下前身頃の収納用とすることもできる。
【発明の効果】
【００１７】
請求項１の介護用着衣は、上前身頃及び下前身頃並びに後身頃の袖付部分が縫製されてなる左袖、並びに前記下前身頃及び前記後身頃の袖付部分が縫製されてなる右袖によって、前記後身頃と前記上前身頃、前記後身頃と前記下前身頃が繋がれている。前記後身頃を寝具の上に拡げると、前記上前身頃及び前記下前身頃及び前記後身頃に縫製された衿によって着衣と被介護者とが位置決めされ、前記後身頃の上に被介護者が十の字になって寝ころべば、喩え、カテーテル等の医療用チューブが何本か身体に入っていても、この介護用着衣を着るのに接続具間の間隔が広く、支障になるものがないから、前記後身頃の上に被介護者の上に前記下前身頃を被せ、次いで、前記上前身頃を被せ、更に、前記左袖の前記左袖接続部の袖下を接続具で接続し、また、前記右袖の右袖接続部の袖下を接続具で接続する。
そして、前記下前身頃と前記後身頃の前記袖付部分までの脇縫部分である下前身頃接続部を接続具で接続し、前記上前身頃と前記後身頃の前記袖付部分までの脇縫部分である上前身頃接続部を接続具で接続する。このとき、接続具間で医療用チューブを引き出しておく。その後、必要であれば帯を締める。
【００１８】
このように、被介護者が十の字に寝ころべば、自然体で着衣を着せることができ、特に、ボタン、紐、接着布の何れか１以上による接続具を用いれば、間違いのない接続が可能となる。また、着衣の着せ掛けも、前記後身頃と上前身頃、前記後身頃と下前身頃が左袖と右袖で繋がれているから、被介護者の位置決め及び着衣の位置決めが簡単であり、両手が不都合な被介護者であっても、自分が着衣を身に着けるのに協力できるという満足感が得られる。そして、ボタン、紐、接着布の何れか１以上による接続具を用いれば必要な密度で固定できる。また、二人で接続具を止める場合でも、相手方の接続具の数をカウントする必要がない。
【００１９】
また、着衣を脱ぐ場合には、帯を解き、そして、ボタン、紐、接着布の何れか１以上による接続具を外し、前記上前身頃の下方から折り畳み、次に、前記下前身頃の下方から折り畳み、前記上前身頃を左袖上まで折り畳み、また、前記下前身頃を右袖上まで折り畳み、被介護者の体を若干浮き上げ着衣を抜き取る。したがって、大きな力を出さなくても、被介護者下から着衣を脱がせることができる。
よって、寝たきりの患者、老人、左右の腕の動作が自信持てない身体障害者等の被介護者の着衣として使用できる。また、サイズが和装品として設定できるから、接続具の位置に体重がかかることがないので異物感がない。
加えて、前記後身頃には、左袖及び右袖を収納する収納部を形成したものであるから、折り畳みの際に右袖、左袖が移動しないように収納部に入れ、固定することができる。また、前記上前身頃及び前記下前身頃、後身頃についても収納することができる。特に、クリーニング後に、右袖、左袖を収納部に入れ、また、前記上前身頃及び前記下前身頃及び後身頃を畳んで収納することにより、搬送されても袖とか、後身頃が飛び出してくることがない。
【００２０】
請求項２の介護用着衣は、上前身頃及び下前身頃並びに後身頃の袖付部分が縫製されてなる左袖、並びに前記下前身頃及び前記後身頃の袖付部分が縫製されてなる右袖によって、前記後身頃と前記上前身頃、前記後身頃と前記下前身頃が繋がれている。前記後身頃を寝具の上に拡げると、上前身頃及び下前身頃及び後身頃に縫製された衿によって位置決めされる。そして、前記左袖の前記前袖及び前記後袖の袖下を接続具で左袖接続部を接続し、また、前記下前身頃と前記後身頃の前記袖付部分までの脇縫部分を接続具で接続する個所は、未だ接続具を用いて接続していないから、前記左袖接続部と前記上前身頃接続部は開放状態となっており、前記左袖接続部と前記上前身頃接続部は折り畳んで前記左袖の袖山側に置いておく。
【００２１】
前記後身頃の上に被介護者が十の字になるように、被介護者の右側から前記後身頃を被介護者の身体の下側に潜らせ、寝具の上を摺動させる。同時に、前記右袖の前記前袖及び前記後袖の袖下を縫製してなる右袖縫製部と、前記上前身頃と前記後身頃の前記袖付部分までの脇縫部分を縫製してなる下前身頃縫製部は、前記後身頃と共に延ばされているから、右腕を右袖縫製部に通し、前記下前身頃縫製部を人体に被せる。
このとき、喩え、カテーテル等の医療用チューブが何本か身体に入っていても、この介護用着衣を着せるのに支障になるものがないから、前記後身頃の上の被介護者に前記下前身頃を被せ、次いで、前記上前身頃を被せ、更に、前記左袖の左袖接続部の袖下を接続具で接続し、また、前記上前身頃と前記後身頃の前記袖付部分までの脇縫部分である上前身頃接続部を接続具で接続する。このとき、接続具間で医療用チューブを引き出しておく。その後、必要であれば帯を締める。
【００２２】
このように、被介護者が横に十の字になって寝ころべば、自然体で着衣を着せることができ、特に、ボタン、紐、接着布の何れか１以上による接続具を用いれば、間違いのない接合が可能となる。また、着衣の着せ掛けも、前記後身頃と下前身頃が右袖で繋がれているから、被介護者の位置決め及び着衣の位置決めが簡単であり、両手が不都合な被介護者であっても、自分が着衣を身に着けるのに協力できるという満足感が得られる。そして、ボタン、紐、接着布の何れか１以上による接続具を用いれば必要な密度で固定できる。
【００２３】
また、着衣を脱ぐ場合には、帯を解き、そして、ボタン、紐、接着布の何れか１以上による接続具を外し、前記上前身頃の下方から折り畳み、前記上前身頃を左袖上まで折り畳み、また、被介護者の体を若干浮き上げ着衣を被介護者の右方向に抜き取る。したがって、大きな力を出さなくても、被介護者下から着衣を抜き取ることができる。
したがって、寝たきりの患者、老人、左右の腕の動作が自信持てない身体障害者等の被介護者の着衣として使用できる。
加えて、前記後身頃には、左袖及び右袖を収納する収納部を形成したものであるから、折り畳みの際に右袖、左袖が移動しないように収納部に入れ、固定することができる。また、前記上前身頃及び前記下前身頃、後身頃についても収納することができる。特に、クリーニング後に、右袖、左袖を収納部に入れ、また、前記上前身頃及び前記下前身頃及び後身頃を畳んで収納することにより、搬送されても袖とか、後身頃が飛び出してくることがない。
【００２４】
請求項３の介護用着衣は、上前身頃及び下前身頃並びに後身頃の袖付部分が縫製されてなる左袖、並びに前記下前身頃及び前記後身頃の袖付部分が縫製されてなる右袖によって、前記後身頃と上前身頃、前記後身頃と下前身頃が繋がれている。前記後身頃を寝具の上に拡げると、上前身頃及び下前身頃及び後身頃に縫製された衿によって寝具に対する着衣が位置決めされる。そして、前記右袖の前記前袖及び前記後袖の袖下を接続具で右袖接続部を接続し、また、前記下前身頃と前記後身頃の前記袖付部分までの脇縫部分を接続具で接続する個所は、未だ接続具を用いて接続していないから、前記右袖接続部と前記下前身頃接続部は開放状態となっており、前記右袖接続部と前記下前身頃接続部は折り畳んで前記右袖の袖山側に置いておく。
【００２５】
前記後身頃の上に被介護者が十の字になるように、被介護者の左側から前記後身頃を被介護者の身体の下側に潜らせ、寝具の上を摺動させる。同時に、前記左袖の前記前袖及び前記後袖の袖下を縫製してなる左袖縫製部と、前記上前身頃と前記後身頃の前記袖付部分までの脇縫部分を縫製してなる上前身頃縫製部は、前記後身頃と共に延ばされているから、左腕を左袖縫製部に通し、前記上前身頃縫製部を人体に被せる。なお、人体に被せる前記上前身頃縫製部は、前記下前身頃を着せた後でもよい。
このとき、喩え、カテーテル等の医療用チューブが何本か身体に入っていても、この介護用着衣を着せるのに支障になるものがないから、前記後身頃の上の被介護者に前記下前身頃を被せ、次いで、前記上前身頃を被せ、更に、前記左袖の左袖接続部の袖下を接続具で接続し、また、前記下前身頃と前記後身頃の前記袖付部分までの脇縫部分である下前身頃接続部を接続具で接続する。このとき、接続具間で医療用チューブを引き出しておく。その後、必要であれば帯を締める。
【００２６】
このように、被介護者が十の字になって寝ころべば、自然体で着衣を着せることができ、特に、ボタン、紐、接着布の何れか１以上による接続具を用いれば、間違いのない接合が可能となる。また、着衣の着せ掛けも、前記後身頃と上前身頃が左袖で繋がれているから、被介護者の位置決め及び着衣の位置決めが簡単であり、両手が不都合な被介護者であっても、自分が着衣を身に着けるのに協力できるという満足感が得られる。そして、ボタン、紐、接着布の何れか１以上による接続具を用いれば必要な密度で固定できる。
【００２７】
また、着衣を脱ぐ場合には、帯を解き、そして、ボタン、紐、接着布の何れか１以上による接続具を外し、下前身頃の下方から折り畳み、下前身頃を右袖上まで折り畳み、また、被介護者の体を若干浮き上げ着衣を被介護者の左方向に抜き取る。したがって、大きな力を出さなくても、被介護者下から着衣を抜き取ることができる。
したがって、寝たきりの患者、老人、左右の腕の動作が自信持てない身体障害者等の被介護者の着衣として使用できる。
加えて、前記後身頃には、左袖及び右袖を収納する収納部を形成したものであるから、折り畳みの際に右袖、左袖が移動しないように収納部に入れ、固定することができる。また、前記上前身頃及び前記下前身頃、後身頃についても収納することができる。特に、クリーニング後に、右袖、左袖を収納部に入れ、また、前記上前身頃及び前記下前身頃及び後身頃を畳んで収納することにより、搬送されても袖とか、後身頃が飛び出してくることがない。
【図面の簡単な説明】
【００２８】
【図１】図１は本発明の実施の形態１の介護用着衣を介護用寝巻とした事例の正面図である。
【図２】図２は本発明の実施の形態１の介護用着衣を介護用寝巻とした事例の背面図である。
【図３】図３は本発明の実施の形態１の介護用着衣に使用する接続具の事例を示すもので、（ａ）はスナップボタンの事例、(ｂ)は４つ穴ボタンの事例、(ｃ)は紐の事例である。
【図４】図４は本発明の実施の形態１の介護用着衣を介護用寝巻とした事例の開放状態に展開する正面図である。
【図５】図５は本発明の実施の形態１の介護用着衣を介護用寝巻とした事例の上身頃及び下身頃を開いた状態の正面図である。
【図６】図６は本発明の実施の形態１の介護用着衣を介護用寝巻とした変形例の左袖及び上身頃側を開放した状態の正面図である。
【図７】図７は本発明の実施の形態１の介護用着衣を介護用寝巻とした変形例の右袖及び下身頃側を開放した状態の正面図である。
【図８】図８は本発明の実施の形態２における介護用着衣の後身頃に収納部を設けた事例の背面図である。
【図９】図９は本発明の実施の形態２における介護用着衣の後身頃の収納部に収納する状態を説明する説明図である。
【発明を実施するための形態】
【００２９】
以下、本発明の実施の形態について、図面に基づいて説明する。なお、実施の形態において、図示の同一記号及び同一符号は、同一または相当する機能部分であるから、ここではその重複する説明を省略する。
【００３０】
［実施の形態１］
本発明の実施の形態１の介護用着衣を介護用寝巻とした事例を参照して説明する。
着衣したとき最も前側に出る上前身頃Ｕと、着衣したとき前側であるが、上前身頃Ｕの背後に重なる下前身頃Ｄと、上前身頃Ｕと下前身頃Ｄのシルエットラインとなる背中側に位置する後身頃Ｂと、また、着用する人の前に位置する前袖及び着用する人の後に位置する後袖からなり上前身頃Ｕ及び後身頃Ｂの袖付部分Ｌ５を縫製されてなる左袖Ｌと、左袖Ｌの前袖及び後袖とは異なる前袖及び後袖からなり、下前身頃Ｄ及び後身頃Ｂの袖付部分Ｒ５を縫製されてなる右袖Ｒと、上前身頃Ｕ及び下前身頃Ｄ及び後身頃Ｂに縫製された衿６によって、介護用寝巻の全体の概略構成を形成している。なお、公知の寝巻と基本的に相違するものではなく、洋装としても相当する構造により構成できる。
【００３１】
左袖Ｌの前側に在る前袖及び後側に在る後袖の袖下３を接続具Ｐで接続する左袖接続部３ａは、右袖Ｒの前袖及び後袖の袖下４を接続具Ｐで接続する右袖接続部４ａとは、左袖接続部３ａと右袖接続部４ａが中央で線対称となり、基本的に構成を同一にしている。
ここで、上前身頃接続部１ａと下前身頃接続部２ａは、本来の縫製部分を縫製することなく接続している接続具Ｐの配設個所であり、着丈から上前身頃Ｕまたは下前身頃Ｄと後身頃Ｂに縫い付ける袖付部分(袖付)Ｒ５、Ｌ５を差し引いた長さが該当する。
【００３２】
また、上前身頃Ｕと後身頃Ｂの袖付部分Ｌ５までの脇縫部分１を接続具Ｐで接続する上前身頃接続部１ａと、そして、下前身頃Ｄと後身頃Ｂの袖付部分Ｒ５までの脇縫部分２を接続具Ｐで接続する下前身頃接続部２ａは、後身頃Ｂと上前身頃接続部１ａ、後身頃Ｂと下前身頃接続部２ａが接続具Ｐで接続される。
ここで、袖付部分Ｒ５と袖付部分Ｌ５は、右袖Ｒや左袖Ｌの袖を上前身頃Ｕと後身頃Ｂまたは下前身頃Ｄと後身頃Ｂに縫い付けるもので、従来の袖付と相違するものではない。
【００３３】
接続具Ｐは図３（ａ）に示すように、スナップボタンＰ１０であれば、５〜２５ｃｍ間隔に配置し、後身頃Ｂ側の内側端部にスナップボタンの凹部Ｐ１を配設し、上前身頃Ｕの内側端部にスナップボタンの凸部Ｐ２を配設し、両者を接続するか、その接続を解除するものである。また、図３（ｂ）に示すように、４つ穴のボタンＰ２０、即ち、貝ボタン、樹脂ボタン等を使用する場合には、ボタンＱ１を後身頃Ｂ側の内側端部に配設し、上前身頃Ｕの内側端部にボタン穴篝Ｑ２とし、両者を接続するものである。
また、図３（ｃ）の対紐Ｐ３０は、紐Ｓ１及び紐Ｓ２で結び、後身頃Ｂと上前身頃Ｕが開くのを防止している。このように、後身頃Ｂ側の内側端部に対紐Ｐ３０の一方の紐Ｓ１を取付け、上前身頃Ｕの内側端部に他方の紐Ｓ２を取付け、両者を結ぶか、その結びを解くものとしても使用できる。この紐Ｓ１と紐Ｓ２とは、単独で後身頃Ｂと上前身頃接続部１ａに取付けてもよいし、スナップボタンを接続する前に概略の身だしなみを整えるのに使用するのが好適である。この場合には、上前身頃接続部１ａの全体長に対して紐Ｓ１と紐Ｓ２の対の対紐Ｐ３０を２〜４個配設するのが望ましい。
【００３４】
ここでは、接続具Ｐとして、スナップボタンＰ１０及び４つ穴のボタンＰ２０等のボタン、対紐Ｐ３０の使用について説明したが、本発明を実施する場合には、接着布（例えば、マジックテープ（登録商標））の使用も可能である。特に、接着布は洗濯等により糸屑が接着機構部分に絡み付き、接着力が低下する可能性があるので、洗濯時には、洗濯用の接着布を接合し、糸屑が巻き付かないようにしている。しかし、接着布を使用すると、スナップボタンＰ１０及び４つ穴のボタンＰ２０等のボタンよりも面で長い間隔を接合できる利点がある。本実施の形態では、脇縫部分１と脇縫部分２を２〜５本で、袖下３と袖下４を１〜３本の接着布とすることができる。
また、図３（ｂ）ではボタン穴篝Ｑ２として横長の穴としているが、これを後身頃Ｂ及び上前身頃Ｕの長さ方向の篝穴とし、そこに５〜１０ｃｍの接着布を通して両者を接合してもよい。この種の実施の形態では接着布が疲れてきた場合には、新製品と取り換えることが容易となる。
なお、接続具Ｐとして、スナップボタンＰ１０、４つ穴のボタンＰ２０、対紐Ｐ３０について説明したが、本発明を実施する場合には、接続具Ｐを環状を描くように接続してもよいし、両生地、例えば、上前身頃Ｕと後身頃Ｂの端部、左袖Ｒの前袖と後袖を平行に合わせるように配設してもよい。
【００３５】
特に、上前身頃接続部１ａと下前身頃接続部２ａ、上記左袖接続部３ａと右袖接続部４ａによる接続具Ｐは、スナップボタンＰ１０、４つ穴のボタンＰ２０、対紐Ｐ３０、接着布の何れでもよく、スナップボタンＰ１０、４つ穴のボタンＰ２０と対紐Ｐ３０等の異種のものとの組み合わせでもよい。しかし、上前身頃接続部１ａと下前身頃接続部２ａ、上記左袖接続部３ａと右袖接続部４ａ等の列状の接続は、ボタン、紐、接着布等からなる接続具Ｐを使用するものであり、ボタン等の掛け違いが生ずる可能性が高い。そこで対になる接続具Ｐの双方に同一番号または同一記号、符号を付したものであるから、スナップボタンＰ１０、４つ穴のボタンＰ２０等のかけ違いが防止できる。接続する双方に同一番号または同一記号を付すのは、スナップボタンＰ１０、４つ穴のボタンＰ２０等のボタン、対紐Ｐ３０、接着布の掛け違いを防止するものであり、アルファベット、数字、文字、ワンポイントマーク、絵等とすることができる。
【００３６】
ボタン等のかけ間違いを防止する接続具Ｐの双方に付与する同一番号または同一記号、符号は、テープ状の織物３０，３１，３２にアルファベット、数字、文字、ワンポイントマーク、絵等を織り込み、上前身頃接続部１ａと下前身頃接続部２ａ、上記左袖接続部３ａと右袖接続部４ａの長さで繰り返し表されるものを作成しておき、そのアルファベット、数字、文字、ワンポイントマーク、絵等に順列が明確なものを使用する。
テープ状の織物３０，３１，３２としたものは、上前身頃Ｕの端部または下前身頃Ｄの端部と後身頃Ｂの左右の両端に平行して縫い付けるものである。
ボタン等のかけ間違いを防止する接続具Ｐの双方に付与する同一番号または同一記号、符号は、接続具Ｐの位置を特定するもので、上前身頃Ｕの端部または下前身頃Ｄの端部と後身頃Ｂの左右の両端、右袖Ｒの袖下４、左袖Ｌの袖下３の前袖と後袖の関係に誤りが生じないようにしている。
本実施の形態では、テープ状の織物３０，３１，３２を使用しているが、本実施の形態の介護用着衣に直接刺繍してもよいし、テープ状の織物３０，３１，３２を１ポイント毎の文字、図形、符号等としてもよい。
【００３７】
本実施の形態の介護用着衣は、上前身頃Ｕ及び下前身頃Ｄ並びに後身頃Ｂの袖付部分Ｌ５が縫製されてなる左袖Ｌ、並びに下前身頃Ｄ及び後身頃Ｂの袖付部分Ｒ５が縫製されてなる右袖Ｒによって、後身頃Ｂと上前身頃Ｕ、後身頃Ｂと下前身頃Ｄが繋がれている。
また、左袖Ｌの袖下３の左袖接続部３ａを接続具Ｐで接続し、また、右袖Ｒの袖下４の右袖接続部４ａを接続具Ｐで接続し、また、その接続を解除できるようになっている。したがって、左袖Ｌの袖下３は接続具Ｐで左袖接続部３ａを開閉自在、また、右袖Ｒも同様、袖下４の右袖接続部４ａは接続具Ｐで開閉自在、即ち、左袖接続部３ａと右袖接続部４ａは、左袖Ｌの袖下３と右袖Ｒの袖下４は、左袖接続部３ａと右袖接続部４ａで接続具Ｐを接続すれば左袖Ｌと右袖Ｒが筒状に接続され、接続具Ｐの接続を左袖Ｌの袖下３と右袖Ｒの袖下４で解くことで、左袖Ｌと右袖Ｒが前袖と後袖に分かれて逆Ｕ字状に下端が開く構造となっている。
【００３８】
また、上前身頃Ｕと後身頃Ｂの袖付部分Ｌ５までの脇縫部分１（上前身頃Ｕと後身頃Ｂの裾から袖付部分Ｌ５の下部）に相当する上前身頃接続部１ａを接続具Ｐで接続する。そして、下前身頃Ｄと後身頃Ｂの袖付部分Ｒ５の袖付部分Ｒ５までの脇縫部分２（下前身頃Ｄと後身頃Ｂの裾から袖付部分Ｒ５の下部）に相当する下前身頃接続部２ａを接続具Ｐで接続し、この接続具Ｐの接続は、上前身頃接続部１ａを構成する。同様に、下前身頃接続部２ａを構成する。
勿論、上前身頃接続部１ａ及び／または下前身頃接続部２ａの接続具Ｐの接続を解くことにより、上前身頃接続部１ａ及び／または下前身頃接続部２ａが開くことになる。
【００３９】
次に、本実施の形態の介護用着衣の使用について、図１乃至図５を用いて説明する。
通常の寝巻と同様、折り畳んで移動される。被介護者が着用する場合は、寝具の上に、後身頃Ｂを拡げる。
そして、上前身頃Ｕを後身頃Ｂの裾から離し、袖付部分Ｌ５の下部までの脇縫部分１の上前身頃接続部１ａを分離し、更に、左袖Ｌの袖下３を接続具Ｐで接続した左袖接続部３ａを解き、後袖と前袖を分離し、上前身頃Ｕ及び前袖を肩山よりも上に挙げる。
なお、図４は折り畳んだ上前身頃Ｕ及び左袖Ｌからなる左折り畳み部Ｌ２０を形成している。この状態で、上前身頃Ｕを後身頃Ｂの裾から離し、袖付部分Ｌ５の下部までの脇縫部分１の上前身頃接続部１ａを分離したものを、左折り畳み部Ｌ２０、更に、左袖Ｌの袖下３を接続具Ｐで接続した左袖接続部３ａを解き、後袖と前袖を分離したものを、右折り畳み部Ｒ２０とすることができる。
【００４０】
同様に、下前身頃Ｄを後身頃Ｂの裾から離し、袖付部分Ｒ５の下部までの脇縫部分２の下前身頃接続部２ａを分離し、更に、下前身頃Ｄ及び右袖Ｒの袖下４を接続具Ｐで接続した右袖接続部４ａを解き、後袖と前袖を分離し、前袖を肩山よりも上に上げる。
左折り畳み部Ｌ２０と同様に、図４は折り畳んだ下前身頃Ｄ及び右袖Ｒからなる右折り畳み部Ｒ２０を形成している。
なお、ここで折り畳みとして説明しているが、巻き込んで形成してもよい。この場合には、図５に示すように、左折り畳み部Ｌ２０、右折り畳み部Ｒ２０とは別に、中心部を中央折り畳み部とすることもできる。ここで、上前身頃Ｕを後身頃Ｂの裾から離し、袖付部分Ｌ５の下部までの脇縫部分１の上前身頃接続部１ａを分離した左折り畳み部Ｌ２０、更に、左袖Ｌの袖下３を接続具Ｐで接続した左袖接続部３ａを解き、後袖と前袖を分離した右折り畳み部Ｒ２０とを太線の仮想線で示したのが図５である。
【００４１】
このように、上前身頃Ｕを上前身頃Ｕの裾から左袖Ｌの袖付部分Ｌ５の下部までの上前身頃接続部１ａ、並びに左袖Ｌの前袖を上に拡げる。また、下前身頃Ｄを下前身頃Ｄの裾から右袖Ｒの袖付部分Ｒ５の下部までの下前身頃接続部２ａ、並びに右袖Ｒの前袖を上に拡げる。
このとき、上前身頃接続部１ａと左袖Ｌは連続して開くことができる。また、下前身頃接続部２ａと右袖Ｒも連続して開くことができる。また、後身頃Ｂは何れからも引っ張られないから展開した状態を維持できる。
【００４２】
そこで、後身頃Ｂの上に被介護者を平面視で十の字になるように寝かせる。被介護者を寝かせた状態で、右袖Ｒと左袖Ｌは前袖と後袖に分かれて逆Ｕ字状に開いているから、その間に被介護者の右腕、左腕を入れ、袖下３と袖下４の左袖接続部３ａと右袖接続部４ａの接続具Ｐを接続状態とする。
喩え、このときカテーテル等の医療用チューブが何本か身体に入っていても、その通過する部位の前後の接続具Ｐを固定接続し、下前身頃Ｄを下前身頃Ｄの裾からの右袖Ｒの袖付部分Ｒ５の下部までの脇縫部分２の下前身頃接続部２ａを一体に接続する。そして、上前身頃Ｕを上前身頃Ｕの裾からの左袖Ｌの袖付部分Ｌ５の下部までの脇縫部分１の上前身頃接続部１ａを一体に接続する。
【００４３】
そして、下前身頃Ｄを被介護者の体のラインに合わせて着せ掛ける。同様に、上前身頃Ｕを被介護者の体のラインに合わせて着せ掛ける。再度、医療用チューブの通過位置を確認し、帯(帯紐)７を締めて寝巻全体の着せ掛けを完了する。
なお、被介護者の容態によっては、上前身頃Ｕ及び下前身頃Ｄと、右袖Ｒ及び左袖Ｌの接続具Ｐで接続する順序を前後にすることができる。
【００４４】
このように、本実施の形態の介護用着衣は、上前身頃Ｕ及び下前身頃Ｄ及び後身頃Ｂと、上前身頃Ｕ及び下前身頃Ｄ及び後身頃Ｂに縫製された衿６と、前袖及び後袖からなり上前身頃Ｕ及び後身頃Ｂの袖付部分Ｌ５を縫製されてなる左袖Ｌと、前袖及び後袖からなり下前身頃Ｄ及び後身頃Ｂの袖付部分Ｒ５を縫製されてなる右袖Ｒと、左袖Ｌの前袖及び後袖の袖下３を接続具Ｐで接続する左袖接続部３ａと、右袖Ｒの前袖及び後袖の袖下４を接続具Ｐで接続する右袖接続部４ａと、上前身頃Ｕと後身頃Ｂの袖付部分Ｌ５までの脇縫部分１を接続具Ｐで接続する上前身頃接続部１ａと、下前身頃Ｄと後身頃Ｂの袖付部分Ｒ５までの脇縫部分２を接続具Ｐで接続する下前身頃接続部２ａとを具備するものである。
【００４５】
本実施の形態では、右腕及び左腕の不自由な被介護者、或いは手足の不自由な被介護者を前提に説明したが、右腕または左腕が不自由な人の場合には、次の実施の形態とすることもできる。
即ち、右腕または左腕の一方のみの腕が不自由な被介護者の介護用着衣は、前袖及び後袖からなり上前身頃Ｕ及び後身頃Ｂの袖付部分Ｌ５を縫製されてなる左袖Ｌ、または左袖Ｌの前袖及び後袖とは異なる前袖及び後袖からなり、下前身頃Ｄ及び後身頃Ｂの袖付部分Ｒ５を縫製されてなる右袖Ｒの一方のみを、袖下３を接続具Ｐで接続する左袖接続部３ａまたは袖下４を接続具Ｐで接続する右袖接続部４ａとすることができる。
つまり、右腕または左腕の一方のみの腕を健常者と同等に対応できる。
【００４６】
本実施の形態の変形例を図６に示す。左腕が健常な人の介護用着衣としては、上前身頃Ｕ及び下前身頃Ｄ及び後身頃Ｂと、上前身頃Ｕ及び下前身頃Ｄ及び後身頃Ｂに縫製された衿６と、前袖及び後袖からなり下前身頃Ｄ及び後身頃Ｂの袖付部分Ｒ５を縫製されてなる左袖Ｒと、左袖Ｌの前袖及び後袖とは異なる前袖及び後袖からなり下前身頃Ｄ及び後身頃Ｂの袖付部分Ｒ５を縫製されてなる右袖Ｒと、左袖Ｌの前袖及び後袖の袖下３を縫製してなる左袖縫製部３ｂと、右袖Ｒの前袖及び後袖の袖下４を接続具Ｐで接続する右袖接続部４ａと、上前身頃Ｕと後身頃Ｂの袖付部分Ｌ５までの脇縫部分１を接続具Ｐで接続する上前身頃接続部１ａと、下前身頃Ｄと後身頃Ｂの袖付部分までの脇縫部分２を縫製してなる下前身頃縫製部２ｂとを具備する。
【００４７】
この種の変形例を図７に示す。右腕が健常な人の介護用着衣としては、上前身頃Ｕ及び下前身頃Ｄ及び後身頃Ｂと、上前身頃Ｕ及び下前身頃Ｄ及び後身頃Ｂに縫製された衿６と、前袖及び後袖からなり上前身頃Ｕ及び後身頃Ｂの袖付部分Ｌ５を縫製されてなる左袖Ｌと、左袖Ｌの前袖及び後袖とは異なる前袖及び後袖からなり、下前身頃Ｄ及び後身頃Ｂの袖付部分Ｒ５を縫製されてなる右袖Ｒと、左袖Ｌの前袖及び後袖の袖下３を接続具Ｐで接続する左袖接続部３ａと、右袖Ｒの前袖及び後袖の袖下４を通常の縫製として縫い付けてなる右袖縫製部４ｂと、上前身頃Ｕと後身頃Ｂの袖付部分Ｌ５までの脇縫部分１を縫製して縫い付けてなる上前身頃縫製部１ｂと、下前身頃Ｄと後身頃Ｂの袖付部分までの脇縫部分２を接続具Ｐで接続する下前身頃接続部２ａとを具備する。
【００４８】
ここで、右袖Ｒの前袖及び後袖の袖下４を通常の縫製として縫い付けてなる右袖縫製部４ｂと、上前身頃Ｕと後身頃Ｂの袖付部分Ｌ５までの脇縫部分１を縫製して縫い付けてなる上前身頃縫製部１ｂ、または、左袖Ｌの前袖及び後袖の袖下３を縫製してなる左袖縫製部３ｂと、下前身頃Ｄと後身頃Ｂの袖付部分までの脇縫部分２を縫製してなる下前身頃縫製部２ｂは、通常の形態で縫製されていることを意味し、左袖縫製部３ｂと右袖縫製部４ｂは、右袖Ｒを上前身頃Ｕに、または左袖Ｌを下前身頃Ｄに袖付けすることを意味し、従来からある袖付けの技術である。
また、上前身頃縫製部１ｂと下前身頃縫製部２ｂは、通常の形態で上前身頃Ｕ及び下前身頃Ｄからなる前身頃が後身頃Ｂに縫製されていることを意味し、従来からある上前身頃Ｕと下前身頃Ｄと後身頃Ｂの縫製技術である。
【００４９】
次に、本実施の形態の介護用着衣の使用について説明する。なお、ここで説明するのは一例であり、着衣する場合、脱衣する場合に不自由な手を先に通したり、後に通したりでき、また、身体の自由がどれだけ利くかによっても違いがでる。
通常の寝巻と同様、寝具の上に後身頃Ｂを拡げる。上前身頃Ｕを上前身頃Ｕと後身頃Ｂの裾から左袖Ｌの袖付部分Ｌ５の下部までの脇縫部分１を拡げ、そして、左折り畳み部Ｌ２０を形成する。また、上前身頃Ｕを上前身頃Ｕの裾からの左袖Ｌの袖付部分Ｌ５の下部までの脇縫部分２を拡げ、また、下前身頃Ｄを下前身頃Ｄの裾からの右袖Ｒの袖付部分Ｒ５の下部までの脇縫部分２を拡げ、右折り畳み部Ｒ２０を形成する。
【００５０】
即ち、上前身頃Ｕを後身頃Ｂの裾から離し、袖付部分Ｌ５の下部までの脇縫部分１の上前身頃接続部１ａを切り離して分離し、更に、左袖Ｌの袖下３を接続具Ｐで接続した左袖接続部３ａを解き、後袖と前袖を分離し、前袖を肩山よりも上に移動させ、左折り畳み部Ｌ２０としている。
または、下前身頃Ｄを後身頃Ｂの裾から離し、袖付部分Ｒ５の下部までの脇縫部分２の下前身頃接続部２ａを分離し、更に、右袖Ｒの袖下４を接続具Ｐで接続した右袖接続部４ａを解き、後袖と前袖を切り離して分離し、前袖を肩山よりも上に移動させ、右折り畳み部Ｒ２０としている。
つまり、健常な腕が上前身頃Ｕ側か、下前身頃Ｄ側かの選択により決定される。
【００５１】
そこで、後身頃Ｂの上に被介護者を十の字になるように寝かせる。このとき、被介護者を寝かせる直前で、右折り畳み部Ｒ２０の右袖Ｒまたは左折り畳み部Ｌ２０の左袖Ｌは前袖と後袖に分かれて逆Ｕ字状に開くから、その間に被介護者の右腕または左腕を入れ、袖下３の左袖接続部３ａまたは袖下４の右袖接続部４ａの接続具Ｐを接続状態とする。このとき、袖下３の左袖接続部３ａまたは袖下４の右袖接続部４ａの何れかの接続具Ｐを接続状態とし、他方の袖下３の左袖縫製部３ｂまたは袖下４の右袖縫製部４ｂは縫製状態となっているから、健常な腕をそこに通し、不自由な腕を袖下３の左袖接続部３ａまたは袖下４の右袖接続部４ａの何れか一方の接続具Ｐを接続状態とする。
【００５２】
そして、医療用チューブが何本か身体に入っていても、その通過する部位の前後の接続具Ｐを接続し、または１個の接続具Ｐを固定動作させないで、脇縫部分１の上前身頃接続部１ａまたは脇縫部分２の下前身頃接続部２ａを接続する。
そして、下前身頃Ｄを被介護者の体のラインに合わせて着せる。同様に、上前身頃Ｕを被介護者の体のラインに合わせて着せる。再度、医療用チューブの通過位置を確認し、帯７を締めて寝巻全体の着せ掛けを完了する。
なお、被介護者の容態によっては、上前身頃Ｕ、下前身頃Ｄ、右袖Ｒ、左袖Ｌの接続具Ｐで接続する順序を前後にすることができる。
【００５３】
［実施の形態２］
上記実施の形態では、通常の寝巻と同様、折り畳んで汎用される旨説明したが、クリーニングした本実施の形態の介護用着衣は、容易に折り畳みが解除されないようにすることができる。
図８及び図９はその例である。本発明の実施の形態において、図示の同一記号及び同一符号は、同一または相当する機能部分であるから、ここではその重複する説明を省略する。
【００５４】
本実施の形態２の介護用着衣は、後身頃Ｂの両肩山または両肩山から０〜１０ｃｍ低くした位置を上辺Ｔとし、左右の袖丈を右辺Ｖ、左辺Ｗの長さとし、その端部を結ぶ線を下辺Ｘとする布地１０、好ましくは、本実施の形態２の介護用着衣が寝巻である場合には、その寝巻の柄が付いた布地が好ましい。勿論、パワーネット等の編目を形成した布地１０としてもよい。弾性のない編目でもよい。
この布地１０の上辺Ｔを後身頃Ｂの両肩山または両肩山から０〜１０ｃｍ低くした位置に縫い付ける。また、下辺Ｘはその右辺Ｖの下端、左辺Ｗの下端を直角三角形状に縫い付ける。右辺Ｖの下端と左辺Ｗの下端が、直角を挟む直角三角形の両辺が２〜５ｃｍ程度の距離としている。
【００５５】
このように、本実施の形態２の介護用着衣は、後身頃Ｂに布地１０の上辺Ｔを縫製し、また、布地１０の右辺Ｖの下端及び左辺Ｗの下端を後身頃Ｂに縫製する。このとき布地１０は下辺Ｘの両端が直角三角形状に縫製されており、開口は、布地１０の右辺Ｖ、左辺Ｗ、下辺Ｘの３辺となる。布地１０の上辺Ｔは縫製されているから、上辺Ｔ側に布地１０に収納した介護用着衣の一部が食み出すことがない。
そして、下辺Ｘの両端が直角三角形状に縫製された布地１０は、当該縫製部分が下辺Ｘの両端に位置するから、被介護者の左右側面に位置することになる。したがって、被介護者はこれによって違和感がない。また、上辺Ｔについても同様である。
【００５６】
したがって、例えば、左袖Ｌ及び／または右袖Ｒを折り畳み、後身頃Ｂと布地１０の間に収納することができる。また、上前身頃Ｕ及び下前身頃Ｄは、後身頃Ｂと共に２重にまたは３重に折り畳んで下辺Ｘ側から挿入し、それを布地１０で保持するものである。
ここで、折り畳む左袖Ｌまたは右袖Ｒは、片方でも、両側でも収容できる。また、上前身頃Ｕ及び下前身頃Ｄ及び後身頃Ｂを折り畳んだもののみを収納してもよい。
【００５７】
上記実施の形態の介護用着衣の後身頃Ｂには、その上前身頃Ｕ及び下前身頃Ｄの反対側に左袖Ｌ及び／または右袖Ｒを収納する収納部１１を布地１０で形成したものである。
ここで、収納部１１は、左右から挿入する左袖Ｌ、右袖Ｒの収容用とすることもできるし、下側から挿入する上前身頃Ｕ及び下前身頃Ｄの収納用とすることもできる。
収納部１１は、嵩張らないものであり、後身頃Ｂに対する取り付け位置が人体の体重が加わる位置にないから、使用に際して不快感が生ずることがない。
【００５８】
上記実施の形態の介護用着衣の後身頃Ｂには、その上前身頃Ｕ及び下前身頃Ｄの反対側に左袖Ｌ及び右袖Ｒを収納する収納部１１を形成したものであるから、折り畳みの際に右袖Ｒ、左袖Ｌが移動しないように収納部１１に入れて、固定することができる。また、上前身頃Ｕ及び下前身頃Ｄについても収容することができる。特に、クリーニング後に、右袖Ｒを収納部１１に入れて、右折り畳み部Ｒ２０とし、更に、左袖Ｌを収納部１１に入れ、左折り畳み部Ｌ２０とし、また、上前身頃Ｕ及び下前身頃Ｄ及び後身頃Ｂを畳んで収容することにより、中央折り畳み部Ｃ２０とすることによって、搬送されても袖とか、後身頃Ｂが飛び出すことがない。
また、搬送の際には、クリーニングの後、プラスチック袋に収納するが、プラスチック袋から出しても折り畳んだ形が崩れることがない。
【００５９】
また、上記実施の形態にかかる介護用着衣は、左袖接続部３ａと右袖接続部４ａによる接続及び／または上前身頃接続部１ａと下前身頃接続部２ａによる接続は、ボタン、紐、接着布の何れか１以上による接続具Ｐとし、接続する双方に同一番号または同一記号を付したものである。
上記左袖接続部３ａと右袖接続部４ａによる接続及び／または上前身頃接続部１ａと下前身頃接続部２ａによる接続は、ボタン、紐、接着布としたものであるから、ファスナーのように異物感がなく、かつ、接続する双方に同一番号または同一記号を付したものであるから、ボタン等のかけ違いが防止できる。接続する双方に同一番号または同一記号を付すのは、ボタン、紐、接着布の掛け違いを防止するものであるから、アルファベット、数字、文字、ワンポイントマーク、絵等とすることができる。接続具は、ボタン、紐、接着布の何れでもよく、ボタンと紐等の異種のものとの組み合わせでもよい。
【００６０】
上記実施の形態の介護用着衣の左袖接続部３ａと右袖接続部４ａによる接続及び／または上前身頃接続部１ａと下前身頃接続部２ａによる接続は、ボタン、紐、接着布、ファスナーの何れか１以上による接続具Ｐとし、接続する双方に同一番号または同一記号を付したものであるから、接続する双方に同一番号または同一記号を付したものであり、同一番号または同一記号を合わせて接合すれば、複数の接続具Ｐを配設するものであっても、狂うことはない。
【００６１】
上記実施の形態によれば、後身頃Ｂの上に被介護者が十の字になるように、被介護者の右側から後身頃Ｂを被介護者の身体の下側に潜らせ、寝具の上を摺動させる。
同時に、右袖Ｒの前袖及び後袖の袖下４を縫製してなる右袖縫製部４ｂと、下前身頃Ｄと後身頃Ｂの袖付部分までの脇縫部分Ｒ５を縫製してなる下前身頃縫製部２ｂは、後身頃Ｂと共に延ばされているから、右腕を右袖縫製部４ｂに通し、下前身頃縫製部２ｂを人体に被せる。
このとき、喩え、カテーテル等の医療用チューブが何本か身体に入っていても、それを左側に出すことができ、この介護用着衣を着せるのに支障になるものがないから、後身頃Ｂの上の被介護者に下前身頃Ｄを被せ、次いで、上前身頃Ｕを被せ、更に、左袖Ｌの左袖接続部３ａの袖下３を接続具Ｐで接続し、また、上前身頃Ｕと後身頃Ｂの袖付部分Ｌ５までの脇縫部分１である上前身頃接続部１ａを接続具Ｐで接続する。このとき、接続具Ｐ間で医療用チューブを引き出しておく。その後、必要であれば帯７を締める。この後、被介護者が好みの体形で寝ればよい。
【００６２】
このように、被介護者が十の字になって寝ころべば、自然体で着衣を着せることができ、特に、ボタン、紐、接着布の何れか１以上による接続具Ｐを用いれば、間違いのない接合が可能となる。また、着衣の着せ掛けも、後身頃Ｂと下前身頃Ｄが右袖Ｒで繋がれているから、被介護者の位置決め及び着衣の位置決めが簡単であり、両手が不都合な被介護者であっても、自分が着衣を身に着けるのに協力できるという満足感が得られる。そして、ボタン、紐、接着布の何れか１以上による接続具Ｐを用いれば必要な密度で固定できる。
【００６３】
また、着衣を脱ぐ場合には、帯７を解き、そして、スナップボタンＰ１０、４つ穴のボタンＰ２０等のボタン、対紐Ｐ３０、接着布の何れか１以上による接続具Ｐを外し、上前身頃Ｕの下方から折り畳み、上前身頃Ｕを左袖Ｌ上まで折り畳み、また、被介護者の体を若干浮き上げ着衣を被介護者の右方向に抜き取る。したがって、大きな力を出さなくても、被介護者下から着衣を抜き取ることができる。
したがって、寝たきりの患者、老人、左右の腕の動作が自信持てない身体障害者等の被介護者の着衣として使用できる。
【００６４】
他の実施の形態の介護用着衣は、上前身頃Ｕ及び下前身頃Ｄ並びに後身頃Ｂの袖付部分Ｌ５が縫製されてなる左袖Ｌ、並びに下前身頃Ｄ及び後身頃Ｂの袖付部分Ｒ５が縫製されてなる右袖Ｒによって、後身頃Ｂと上前身頃Ｕ、後身頃Ｂと下前身頃Ｄが繋がれている。後身頃Ｂを寝具の上に拡げると、上前身頃Ｕ及び下前身頃Ｄ及び後身頃Ｂに縫製された衿６によって寝具に対する着衣が位置決めされる。そして、右袖Ｒの前袖及び後袖の袖下４を接続具Ｐで右袖接続部４ａを接続し、また、下前身頃Ｄの袖付部分Ｒ５までの脇縫部分２を接続具Ｐで接続する個所は、未だ接続具Ｐを用いて接続していないから、右袖接続部４ａと下前身頃接続部２ａは開放状態となっているから、左袖接続部３ａと上前身頃接続部１ａは折り畳んで右袖Ｒの袖山側に置いておく。
【００６５】
後身頃Ｂの上に被介護者が十の字になるように、被介護者の左側から後身頃Ｂを被介護者の身体の下側に潜らせ、寝具の上を摺動させる。
同時に、左袖Ｌの前袖及び後袖の袖下３を縫製してなる左袖縫製部３ｂと、上前身頃Ｕと後身頃Ｂの袖付部分Ｌ５までの脇縫部分１を縫製してなる上前身頃縫製部１ｂは、後身頃Ｂと共に延ばされているから、左腕を左袖縫製部３ｂ側の左袖Ｌに通し、上前身頃縫製部１ｂを人体に被せる。なお、人体に被せる上前身頃縫製部１ｂは、下前身頃Ｄを着せた後でもよい。
このとき、喩え、カテーテル等の医療用チューブが何本か身体に入っていても、この介護用着衣を着せるのに支障になるものがないから、後身頃Ｂの上の被介護者に下前身頃Ｄを被せ、次いで、上前身頃Ｕを被せ、更に、左袖Ｌの左袖接続部３ａの袖下３を接続具Ｐで接続し、また、下前身頃Ｄと後身頃Ｂの袖付部分Ｒ５までの脇縫部分２である下前身頃接続部２ａを接続具Ｐで接続する。このとき、接続具Ｐ間で医療用チューブを引き出しておく。その後、必要であれば帯７を締める。
【００６６】
このように、被介護者が十の字になって寝ころべば、自然体で着衣を着せることができ、特に、ボタン、紐、接着布の何れか１以上による接続具Ｐを用いれば、間違いのない接合が可能となる。また、着衣の着せ掛けも、後身頃Ｂと上前身頃Ｕが左袖Ｌで繋がれているから、被介護者の位置決め及び着衣の位置決めが簡単であり、両手が不都合な被介護者であっても、自分が着衣を身に着けるのに協力できるという満足感が得られる。そして、ボタン、紐、接着布の何れか１以上による接続具Ｐを用いれば必要な密度で固定できる。
【００６７】
また、着衣を脱ぐ場合には、帯７を解き、そして、スナップボタンＰ１０、４つ穴のボタンＰ２０等のボタン、対紐Ｐ３０、接着布の何れか１以上による接続具Ｐを外し、下前身頃Ｄの下方から折り畳み、下前身頃Ｄを右袖上まで折り畳み、また、被介護者の体を若干浮き上げ着衣を被介護者の左方向に抜き取る。したがって、大きな力を出さなくても、被介護者下から着衣を抜き取ることができる。
したがって、寝たきりの患者、老人、左右の腕の動作が自信持てない身体障害者等の被介護者の着衣として使用できる。
【００６８】
そして、被介護者が十の字に寝ころべば、自然体で着衣を着せることができ、特に、ボタン、紐、接着布の何れか１以上による接続具を用いれば、間違いのない接合が可能となる。また、着衣の着せ掛けも、後身頃Ｂと上前身頃Ｕ、後身頃Ｂと下前身頃Ｄが左袖Ｌと右袖Ｒで繋がれているから、被介護者の位置決め及び着衣の位置決めが簡単であり、両手が不自由な被介護者であっても、自分が着衣を身に着けるのに協力できるという満足感が得られる。そして、スナップボタンＰ１０、４つ穴のボタンＰ２０等のボタン、対紐Ｐ３０、接着布の何れか１以上による接続具を用いれば必要な密度で固定できる。
【００６９】
更に、着衣を脱ぐ場合には、帯７を解き、そして、スナップボタンＰ１０、４つ穴のボタンＰ２０等のボタン、対紐Ｐ３０、接着布等の何れか１以上による接続具を外し、上前身頃Ｕの下方から折り畳み、次に、下前身頃Ｄの下方から折り畳み、上前身頃Ｕを左袖Ｌ上まで折り畳み、また、下前身頃Ｄを右袖Ｒ上まで折り畳み、被介護者の体を若干浮き上げ着衣を抜き取る。したがって、大きな力を出さなくても、被介護者下から着衣を抜き取ることができる。
したがって、寝たきりの患者、老人、左右の腕の動作が自信持てない身体障害者等の被介護者の着衣として使用できる。
【００７０】
被介護者が十の字に寝ころべば、自然体で着衣を着せることを前提に説明したが、本発明を実施する場合には、被介護者が何も手にすることなく自立したり、何かに掴って自立できる場合には、立った状態で着付けることができる。この場合には、環境温度が低くても、部分的に肌を出すことができ、風呂から出た後でも、湯冷めしないで体を拭くことができる。また、お湯で体をふく場合にも他の部分が着衣しているから余り寒さを感じない。
このように、上記実施の形態では、寝具の上に寝る場合で説明したが、湯上りの際には、被介護者が立っていても、或いは座っていても、本介護用着衣は簡単に着せ掛けることができる。
【産業上の利用可能性】
【００７１】
この実施の形態で使用した左袖接続部３ａと右袖接続部４ａによる接続及び／または上前身頃接続部１ａと下前身頃接続部２ａによる接続は、ボタン、紐、接着布としたもので、接続する双方に同一番号または同一記号を付すものであるから、ボタン等のかけ違いが防止できる。双方に付す同一番号または同一記号は、アルファベット、数字、文字、ワンポイントマーク、絵等とすることができる。接続具は、スナップボタンＰ１０、４つ穴のボタンＰ２０、磁石ボタン等のボタン、対紐Ｐ３０、接着布の何れでもよく、スナップボタンＰ１０、４つ穴のボタンＰ２０と対紐Ｐ３０等の異種のものとの組み合わせでもよい。
例えば、接続具Ｐとしては、スナップボタンＰ１０、４つ穴のボタンＰ２０等のボタン、対紐Ｐ３０、接着布の何れでもよいし、他のホック等でも使用できる。接続具Ｐと双方に付す同一番号または同一記号は、アルファベット、数字、文字、ワンポイントマーク、絵等とすることができるが、アルファベット、数字であれば、接続具の数が端の接着具をみるだけで明確になる。また、途中から接続させても、残りの数が推定できる。この技術は、本実施の形態の使用に限定されるものではない。
【００７２】
ところで、女性用の長着は、身八つ口、振八つ口があるが、男性用の長着は、身八つ口、振八つ口がない。即ち、着物、浴衣、寝間着においては、身八つ口、振八つ口があるものと、ないものが存在する。本発明の実施例の説明では、着丈から袖付を差し引いた距離が上前身頃接続部１ａ、上前身頃縫製部１ｂ、下前身頃接続部２ａ、下前身頃縫製部２ｂの長さとしているが、しかし、本発明を実施する場合には、着丈から袖丈を差し引いた距離が上前身頃接続部１ａ、上前身頃縫製部１ｂ、下前身頃接続部２ａ、下前身頃縫製部２ｂの長さとすることもできる。
【００７３】
また、右袖Ｒと左袖Ｌについても、袖丈が袖口や袖付に略等しいものもあり袖丸みと共に、目的に応じたデザインによって決定され、右袖Ｒと左袖Ｌは形状が特定されるものではない。
【符号の説明】
【００７４】
Ｕ    上前身頃
Ｄ    下前身頃
Ｂ    後身頃
Ｌ    左袖
Ｒ    右袖
Ｐ    接続具
Ｌ５    袖付部分
Ｒ５    袖付部分
１    脇縫部分
２    脇縫部分
１ａ    上前身頃接続部
１ｂ    上前身頃縫製部
２ａ    下前身頃接続部
２ｂ    下前身頃縫製部
３      袖下
３ａ    左袖接続部
３ｂ    左袖縫製部
４      袖下
４ａ    右袖接続部
４ｂ    右袖縫製部
６      衿
１０    布地
１１    収納部
Ｒ２０  右折り畳み部
Ｌ２０  左折り畳み部
Ｃ２０  中央折り畳み部
【要約】
【課題】寝たきりの患者、老人、左右の腕の動作が自信持てない身体障害者等の被介護者の着衣として使用できること。
【解決手段】上前身頃Ｕ及び下前身頃Ｄ及び後身頃Ｂと、それらに縫製された衿６と、前袖及び後袖からなり、上前身頃Ｕ及び後身頃Ｂの袖付部分Ｌ５を縫製されてなる左袖Ｌと、前袖及び後袖からなり、下前身頃Ｄ及び後身頃Ｂの袖付部分Ｒ５を縫製されてなる右袖Ｒと、左袖Ｌの前袖及び後袖の袖下３を接続具Ｐで接続する左袖接続部３ａと、右袖Ｒの前袖及び後袖の袖下４を接続具Ｐで接続する右袖接続部４ａと、上前身頃Ｕと後身頃Ｂの袖付部分Ｌ５までの脇縫部分１を接続具Ｐで接続する上前身頃接続部１ａと、下前身頃Ｄと後身頃Ｂの袖付部分までの脇縫部分２を接続具Ｐで接続する下前身頃接続部２ａとを具備する。
【選択図】図１【図１】
0005973043.tif 000002
【図２】
0005973043.tif 000003
【図３】
0005973043.tif 000004
【図４】
0005973043.tif 000005
【図５】
0005973043.tif 000006
【図６】
0005973043.tif 000007
【図７】
0005973043.tif 000008
【図８】
0005973043.tif 000009
【図９】
0005973043.tif 000010